(57)【要約】【課題】売上処理された商品の商品情報を、客の希望に沿った種別で報知する。【解決手段】商品の売上処理の際に、客側に設けられた操作部Ｂを客に操作させることにより客が望む商品情報の種別（例えば、各商品の名前を表す単品名称や、各商品を分類するために上位概念化されたグループ名称）を指定させることで、売上処理された商品の商品情報を客が望む商品情報の種別に従って生成して報知する。これにより、商品の売上処理の際に報知される商品情報を客が望む種別にすることができる。例えば、買上げ商品の名前を表す単品名称（商品情報の種別）が商品情報として報知されるのを希望しない客は、各商品を分類するために上位概念化されたグループ名称（商品情報の種別）を客が望む商品情報の種別として指定することで、売上処理に係る商品に関する商品情報を、客の希望に沿った種別で報知することができる。【選択図】        図５
2004362504.tif 000002
【特許請求の範囲】
【請求項１】
商品の売上処理を実行する商品販売データ処理装置において、
売上処理の際に報知する商品情報の種別を指定する情報種別指定手段と、
この情報種別指定手段により指定された種別に従って売上処理された商品の商品情報を生成して報知する商品情報報知手段と、
を備えることを特徴とする商品販売データ処理装置。
【請求項２】
売上処理された商品の商品情報の報知は、客側に設けられた表示装置に当該商品情報を表示することにより行う、
ことを特徴とする請求項１記載の商品販売データ処理装置。
【請求項３】
売上処理された商品の商品情報の報知は、当該商品情報を印字装置によりレシート用紙に印字してレシートとして発行することにより行う、
ことを特徴とする請求項１または２記載の商品販売データ処理装置。
【請求項４】
前記情報種別指定手段は、客側に設けられた操作部を客に操作させることにより商品情報の種別を指定させる、
ことを特徴とする請求項１ないし３のいずれか一記載の商品販売データ処理装置。
【請求項５】
前記情報種別指定手段は、客が所有するカードに記憶された商品情報の種別を読み取る、
ことを特徴とする請求項１ないし３のいずれか一記載の商品販売データ処理装置。
【請求項６】
前記情報種別指定手段は、客が所有するカードに記憶された会員番号を読み取り、商品情報の種別を会員番号に対応付けて記憶したテーブルを検索する、
ことを特徴とする請求項１ないし３のいずれか一記載の商品販売データ処理装置。
【請求項７】
報知する商品情報の種別には、各商品の名前を表す単品名称と、各商品を分類するために上位概念化されたグループ名称と、を少なくとも含むことを特徴とする請求項１ないし６のいずれか一記載の商品販売データ処理装置。
【発明の詳細な説明】
【０００１】
【発明の属する技術分野】
本発明は、例えばスーパーマーケットやコンビニエンスストア等において使用されるＰＯＳ（Ｐｏｉｎｔ  ｏｆ  Ｓａｌｅｓ：販売時点管理）端末等の商品販売データ処理装置に関する。
【０００２】
【従来の技術】
一般に、この種の商品販売データ処理装置であるＰＯＳ端末は、各商品に各々付された固有の商品コードに対応して商品名や販売価格等の商品情報が設定されたＰＬＵ（Ｐｒｉｃｅ  Ｌｏｏｋ  Ｕｐ）ファイルを備え、バーコードスキャナ等により商品の商品コードが入力されるとＰＬＵファイルを検索して入力された商品コードに対応する商品名や販売価格等の商品情報を読み出し、これらの商品情報に基づいて売上処理、商品名や価格等の表示処理及びレシート用紙への印字処理を行うようにしている（例えば、特許文献１参照）。
【０００３】
すなわち、ＰＯＳ端末は単品管理を目的としていることから、レシートやＰＯＳ端末の客面ディスプレイには売上処理に係る商品の名前を表す商品名である単品名称（商品情報）が表示されることになる。
【０００４】
【特許文献１】
特開平１０−２６９４６１号公報
【０００５】
【発明が解決しようとする課題】
しかしながら、現実的には、買上げ商品の名前を表す商品名である単品名称（商品情報）がレシートや客面ディスプレイにそのまま印字又は表示されるのを好まない客も存在する。
【０００６】
本発明は、売上処理に係る商品に関する商品情報を、客の希望に沿った種別で報知することができる商品販売データ処理装置を提供することを目的とする。
【０００７】
【課題を解決するための手段】
本発明は、商品の売上処理を実行する商品販売データ処理装置（例えば、ＰＯＳ端末やＥＣＲ（Ｅｌｅｃｔｒｉｃ  Ｃａｓｈ  Ｒｅｇｉｓｔｅｒ））において、売上処理の際に報知する商品情報の種別を指定する情報種別指定手段と、この情報種別指定手段により指定された種別に従って売上処理された商品の商品情報を生成して報知する商品情報報知手段と、を備える。
【０００８】
したがって、商品の売上処理の際には、売上処理された商品の商品情報が、商品情報の種別（例えば、各商品の名前を表す単品名称や、各商品を分類するために上位概念化されたグループ名称）に従って生成されて報知される。これにより、商品の売上処理の際に報知される商品情報を客が望む種別にすることが可能になる。
【０００９】
【発明の実施の形態】
本発明の第一の実施の形態を図１ないし図１１に基づいて説明する。本実施の形態の商品販売データ処理装置は、スーパーマーケットやコンビニエンスストア等で使用されるＰＯＳ（Ｐｏｉｎｔ  ｏｆ  Ｓａｌｅｓ）端末に適用されている。
【００１０】
ここで、図１はＰＯＳ端末１を概略的に示す外観斜視図である。図１に示すように、このＰＯＳ端末１は、ドロワ装置Ｄ上に載置されて使用されるものである。このＰＯＳ端末１の筐体である本体ケース２の操作者側から見て左側には、サーマルプリンタ３（図２参照）を内部に内蔵するプリンタカバー４が設けられており、そのプリンタカバー４には印字装置であるサーマルプリンタ３から印字発行されるレシートＲ（図１０，図１１参照）を発行するレシート発行口５が形成されている。また、プリンタカバー４の上部には、商品等に付される商品コードを光学的に読み取るためのバーコードスキャナ６を載置するためのスキャナ載置部７が凹形状に形成されている。一方、ＰＯＳ端末１の本体ケース２の操作者側から見て右側には、ＬＣＤ（Ｌｉｑｕｉｄ  Ｃｒｙｓｔａｌ  Ｄｉｓｐｌａｙ）であってチルト自在なディスプレイ８、預／現計キー（図示せず）等の各種のキーが集合するキーボード９、カードリーダ１０（図２参照）に会員カードである磁気カード（図示せず）を挿入するためのカード挿入口１１、図示しない鍵によって切り替え操作されるモードキー１２等が設けられている。また、ディスプレイ８の表示面上には、タッチパネル１３が積層されており、ディスプレイ８に表示されるボタン等とタッチパネル１３の座標との位置関係の同期をとることによって、ディスプレイ８はキーボードと同様の機能を奏することになる。
【００１１】
加えて、ＰＯＳ端末１の客側に位置する背面には、表示装置として機能するＬＣＤである客側ディスプレイ１４が設けられている。この客側ディスプレイ１４の表示面上には、客側タッチパネル１５（図２参照）が積層されており、客側ディスプレイ１４に表示されるボタン等と客側タッチパネル１５の座標との位置関係の同期をとることによって、客側ディスプレイ１４はキーボードと同様の機能を奏することになる。
【００１２】
続いて、このような構成のＰＯＳ端末１に内蔵される各部の電気的接続について図２を参照して説明する。図２に示すように、このＰＯＳ端末１は、Ｍｉｃｒｏｃｏｍｐｕｔｅｒ（以下、マイコンという。）１６を内蔵し、このマイコン１６が各部を駆動制御する。マイコン１６は、各部を集中的に制御するＣＰＵ（Ｃｅｎｔｒａｌ  Ｐｒｏｃｅｓｓｉｎｇ  Ｕｎｉｔ）１７に、アドレスバス、データバス等のバスライン１８を介して、起動プログラム等の固定的データを予め格納するＲＯＭ（Ｒｅａｄ  Ｏｎｌｙ  Ｍｅｍｏｒｙ）１９と、売上バッファや印字バッファ等の各種バッファを構成して各種データを書き換え自在に格納するＲＡＭ（Ｒａｎｄｏｍ  Ａｃｃｅｓｓ  Ｍｅｍｏｒｙ）２０と、日付や時刻を計時するタイマ３２とが接続されて構成されている。なお、ＲＡＭ２０は、バッテリ（図示せず）によってバックアップされている。
【００１３】
また、ＣＰＵ１７に接続されたバスライン１８には記憶媒体であるＨＤＤ（Ｈａｒｄ  Ｄｉｓｋ  Ｄｒｉｖｅ）２１が接続されており、このＨＤＤ２１にはマイコン１６を動作させる制御プログラムの他に、各種データファイルも格納されている。各種データファイルとしては、商品マスタファイルＦ１（図３参照）、簡略表示指定商品ファイルＦ２（図４参照）、売上明細や売上金額等の商品売上履歴であるジャーナルデータを記憶するジャーナルファイル（図示せず）等が格納されている。
【００１４】
商品マスタファイルＦ１は、図３に示すように、商品の商品コード毎に部門コード、部門名（各商品を分類するために上位概念化されたグループ名称）、商品名（各商品の名前を表す単品名称）、ジャーナル名、レシート名、価格等の商品情報を対応付けて記憶保持するファイル構造を備えている。この商品マスタファイルＦ１は、売上処理の際に用いられるものであって、バーコードスキャナ６により読み取られた商品コードに基づいてジャーナル名、レシート名、価格等の商品情報を取得するためのものである。なお、レシート名は、レシートＲに印字するためのものであって、商品名を簡略化したものである。また、ジャーナル名は、ジャーナルファイルに記憶されるジャーナルデータを構成するものであって、レシート名に比べるとやや詳細に商品名を簡略化したものである。すなわち、ジャーナル名及びレシート名も、各商品の名前を表す単品名称である。
【００１５】
簡略表示指定商品ファイルＦ２は、図４に示すように、商品の商品コード毎に部門コード、部門名（各商品を分類するために上位概念化されたグループ名称）、商品名（各商品の名前を表す単品名称）等の商品情報を対応付けて記憶保持するファイル構造を備えている。この簡略表示指定商品ファイルＦ２は、レシートＲや客側ディスプレイ１４に商品マスタファイルＦ１に記憶されている商品名（各商品の名前を表す単品名称）を表示したくない場合に用いるものである。簡略表示指定商品ファイルＦ２に設定される商品としては、何を購入したのかという情報が店舗にいる他の客に漏れてしまうことが恥ずかしいようなもの、例えば“痔の薬”等が挙げられる。
【００１６】
ＨＤＤ２１に格納された制御プログラムは、ＰＯＳ端末１の起動時に商品マスタファイル等とともにＲＡＭ２０に書き込まれ、これによってマイコン１６による各部の駆動制御が可能な状態となる。次に、マイコン１６によって駆動制御される各部を説明する。
【００１７】
キーボード９は、キーボードコントローラ２２を介してバスライン１８に接続され、操作されたキーに応じた信号をキーボードコントローラ２２の動作によってマイコン１６に入力する。
【００１８】
モードキー１２は、モードキーコントローラ２３を介してバスライン１８に接続され、モードキーコントローラ２３の動作によって切り替え位置に応じた信号をマイコン１６に入力する。マイコン１６は、モードキー１２からの出力信号に応じて、ＰＯＳ端末１の動作モードを登録モード、設定モード、精算モード、点検モード等の各業務モードに設定する。
【００１９】
ディスプレイ８は、表示コントローラ２４を介してバスライン１８に接続され、マイコン１６からの表示データが表示コントローラ２４に入力されると、表示コントローラ２４に駆動されて所定事項を表示する。
【００２０】
客側ディスプレイ１４は、客側表示コントローラ２５を介してバスライン１８に接続され、マイコン１６からの客側表示データが客側表示コントローラ２５に入力されると、客側表示コントローラ２５に駆動されて所定事項を表示する。
【００２１】
タッチパネル１３は、パネルコントローラ２６を介してバスライン１８に接続され、パネルコントローラ２６の動作によって、操作者によりタッチされたパネル上のＸＹ座標の位置を認識して座標データ取得し、この取得された座標データに応じた信号をマイコン１６に出力する。マイコン１６に信号が入力されると、マイコン１６は信号に基づいた所定の処理を実行する。
【００２２】
客側タッチパネル１５は、パネルコントローラ３１を介してバスライン１８に接続され、パネルコントローラ３１の動作によって、顧客によりタッチされたパネル上のＸＹ座標の位置を認識して座標データ取得し、この取得された座標データに応じた信号をマイコン１６に出力する。マイコン１６に信号が入力されると、マイコン１６は信号に基づいた所定の処理を実行する。
【００２３】
バーコードスキャナ６は、スキャナコントローラ２７を介してバスライン１８に接続され、スキャナコントローラ２７の動作によって読み取った商品コードのデータをマイコン１６に送信する。
【００２４】
カードリーダ１０は、リーダコントローラ２８を介してバスライン１８に接続され、リーダコントローラ２８の動作によってマイコン１６に対して磁気カードに記憶された情報を出力する。
【００２５】
また、ＰＯＳ端末１に内蔵されたサーマルプリンタ３は、プリンタコントローラ２９を介してバスライン１８に接続され、マイコン１６によって駆動制御される。さらに、このサーマルプリンタ３には、カッタ部（図示せず）が内蔵されており、マイコン１６によって駆動制御される。これにより、サーマルプリンタ３は、図示しない長尺紙であるレシート用紙にレシートとしての必要事項を印字し、これを切断してレシート発行口５よりレシートＲとして発行するレシートプリンタの機能を発揮する。
【００２６】
さらに、ＰＯＳ端末１には、ホストコンピュータ等を接続してデータの送受信をする通信Ｉ／Ｆ３０が、バスライン１８に接続され、マイコン１６によって駆動制御される。また、ＰＯＳ端末１とは別体で設けられたドロワ装置Ｄも、マイコン１６によって駆動制御される。
【００２７】
次に、ＰＯＳ端末１のＨＤＤ２１に格納された制御プログラムがマイコン１６に実行させる機能について説明する。起動後のＰＯＳ端末１では、モードキー１２の切り替え位置に応じて動作モードが選択される。つまり、モードキー１２の切り替え位置によって発生する出力信号に応じ、マイコン１６がＰＯＳ端末１の動作モードを、登録モード、設定モード、精算モード、点検モード等に設定する。本実施の形態においては、各モードの処理について従来のＰＯＳ端末によって行なわれる処理と同様の処理についてはその説明を省略する。
【００２８】
ここで、モードキー１２の切り換え操作によって登録モードに設定されている場合の客側ディスプレイ１４の表示内容について図５を参照して説明する。図５に示すように、モードキー１２の切り換え操作によって登録モードに設定されている場合、客側ディスプレイ１４には、“メッセージ”Ｍを表示する領域であるメッセージ表示領域１４ａと、客側タッチパネル１５との組み合わせにより“メッセージ”Ｍに係るボタン（報知内容設定ボタン）Ｂとなり得る“ボタンイメージ”を表示する領域であるボタンイメージ表示領域１４ｂと、売上処理に係る商品の商品名や金額等を表示する領域である売上処理表示領域１４ｃとが形成される。本実施の形態においては、メッセージ表示領域１４ａには、例えば、“レシートに商品名を記載したい方は下のボタンを押して下さい。”というような“メッセージ”Ｍが表示される。したがって、客側ディスプレイ１４に表示されているボタン（報知内容設定ボタン）Ｂは、“メッセージ”Ｍを確認した後、客自らの意思で容易に押下できる状態になっている。すなわち、ボタン（報知内容設定ボタン）Ｂは、客側に設けられた操作部として機能するものである。
【００２９】
次に、本実施の形態のＰＯＳ端末１の有する特長的な機能である報知内容設定処理の流れを以下に説明する。ここで、図６は報知内容設定処理の流れを概略的に示すフローチャートである。報知内容設定処理は、モードキー１２の切り換え操作によって登録モードに設定されていることを条件として実行される。図６に示すように、報知内容設定処理は、まず、客側ディスプレイ１４に表示されているボタン（報知内容設定ボタン）Ｂが客により押下されたことを検出すると（ステップＳ１のＹ）、現在の表示設定ステータスを更新する（ステップＳ２：情報種別指定手段）。表示設定ステータスは、本実施の形態においては、“簡略表示モード”と“詳細表示モード”とに区別されている。“簡略表示モード”とは、レシートＲや客側ディスプレイ１４に商品名（各商品の名前を表す単品名称）ではなく部門名（各商品を分類するために上位概念化されたグループ名称）を表示するモードである。一方、“詳細表示モード”とはレシートＲや客側ディスプレイ１４に商品名（各商品の名前を表す単品名称）ではなくレシート名を表示するモードである。したがって、本実施の形態においては、初期状態では“簡略表示モード”に設定されており、ボタン（報知内容設定ボタン）Ｂが客により押下されると、“詳細表示モード”に設定されることになる。
【００３０】
続くステップＳ３においては、ステップＳ２で更新された表示設定ステータスに従って客側ディスプレイ１４の画面を再描画する。
【００３１】
以上説明した報知内容設定処理は、後述する売上処理の際に客が客側ディスプレイ１４に表示されているボタン（報知内容設定ボタン）Ｂを押下することにより、割込み処理されるものである。すなわち、客のボタン（報知内容設定ボタン）Ｂの押下は、売上処理の前に予め行うものでも良いし、または、売上処理の最中に行うものであっても良い。
【００３２】
次に、本実施の形態のＰＯＳ端末１の有する特長的な機能である売上処理の流れを以下に説明する。ここで、図７は売上処理の流れを概略的に示すフローチャートである。売上処理は、モードキー１２の切り換え操作によって登録モードに設定されていることを条件として実行される。図７に示すように、売上処理としては、まず、売上商品についてのバーコードスキャナ６による商品コードの読み取りによる商品コードの入力に待機する（ステップＳ１１）。
【００３３】
バーコードスキャナ６による商品コードの読み取りがあったと判断されると（ステップＳ１１のＹ）、読み取られた商品コードに基づいて商品マスタファイルＦ１を検索することにより部門コード、部門名、商品名、ジャーナル名、レシート名、価格等の商品情報を取得して、売上金額算出処理を実行する（ステップＳ１２）。売上金額算出処理は、例えば、取得した商品情報に基づく売上金額やここまでの小計金額を算出するものである。
【００３４】
続くステップＳ１３においては、取得した商品情報に基づく売上金額算出処理の結果をジャーナル名にてジャーナルファイルに登録する。このように取得した商品情報に基づく売上金額算出処理の結果をジャーナル名にてジャーナルファイルに登録するのは、前述したようにジャーナル名はレシート名に比べるとやや詳細に商品名を簡略化したものであることから、後でのジャーナルファイルの検索を容易にするためである。
【００３５】
次に、バーコードスキャナ６により読み取られた商品コードに基づく商品が“簡略表示指定商品”であるか否かを判断する（ステップＳ１４）。商品が“簡略表示指定商品”であるか否かは、簡略表示指定商品ファイルＦ２を用いて判断する。読み取られた商品コードが簡略表示指定商品ファイルＦ２に存在すれば“簡略表示指定商品”であると判断され、読み取られた商品コードが簡略表示指定商品ファイルＦ２に存在しなければ“簡略表示指定商品”でないと判断される。
【００３６】
読み取られた商品コードに基づく商品が“簡略表示指定商品”でないと判断された場合には（ステップＳ１４のＮ）、ステップＳ１５に進み、現在の表示設定ステータスが“簡略表示モード”または“詳細表示モード”の何れであるかを判断する。
【００３７】
現在の表示設定ステータスが“簡略表示モード”である場合には、ステップＳ１６に進み、バーコードスキャナ６により読み取られた商品コードに基づく商品を部門名（各商品を分類するために上位概念化されたグループ名称）にて客側ディスプレイ１４に表示する。ここに、商品情報報知手段の機能が実行される。ここで、図８は“簡略表示モード”である場合の売上処理表示領域１４ｃの表示を例示的に示す正面図である。図８に示すように、“簡略表示モード”の場合には、商品が部門名（各商品を分類するために上位概念化されたグループ名称）で表示されることになる。なお、読み取られた商品コードに基づく商品が“簡略表示指定商品”であると判断された場合も（ステップＳ１４のＹ）、ステップＳ１６に進み、商品が部門名（各商品を分類するために上位概念化されたグループ名称）で表示されることになる。これにより客側ディスプレイ１４に売上処理された商品の商品情報を表示することで、売上処理された商品の商品情報が報知されることになる。
【００３８】
一方、現在の表示設定ステータスが“詳細表示モード”である場合には、ステップＳ１７に進み、バーコードスキャナ６により読み取られた商品コードに基づく商品をレシート名（各商品の名前を表す単品名称）にて客側ディスプレイ１４に表示する。ここに、商品情報報知手段の機能が実行される。ここで、図９は“詳細表示モード”である場合の売上処理表示領域１４ｃの表示を例示的に示す正面図である。図９に示すように、“詳細表示モード”の場合には、商品がレシート名（各商品の名前を表す単品名称）で表示されることになる。このように客側ディスプレイ１４に売上処理された商品の商品情報を表示することで、売上処理された商品の商品情報が報知されることになる。
【００３９】
ステップＳ１１〜Ｓ１７の処理は、キーボード９の預／現計キー（図示せず）が操作されて締めが宣言されたと判断される迄（ステップＳ１８のＹ）、繰り返される。
【００４０】
キーボード９の預／現計キーが操作されて締めが宣言されたと判断されると（ステップＳ１８のＹ）、ステップＳ１９において締め処理が実行される。この締め処理では、消費税額、売上合計金額等が算出される。
【００４１】
続くステップＳ２０では、現在の表示設定ステータスが“簡略表示モード”または“詳細表示モード”の何れであるかを判断する。
【００４２】
現在の表示設定ステータスが“簡略表示モード”である場合には、ステップＳ２１に進み、バーコードスキャナ６による商品コードの読み取りがあった全商品を部門名にてレシート用紙に印字した後、これを切断してレシート発行口５よりレシートＲとして発行する。ここに、商品情報報知手段の機能が実行される。ここで、図１０は“簡略表示モード”である場合に発行されたレシートＲを例示的に示す平面図である。図１０に示すように、“簡略表示モード”の場合のレシートＲには、商品が部門名（各商品を分類するために上位概念化されたグループ名称）で表示されることになる。このように売上処理された商品の商品情報をサーマルプリンタ３によりレシート用紙に印字してレシートＲとして発行することで、売上処理された商品の商品情報が報知されることになる。
【００４３】
一方、現在の表示設定ステータスが“詳細表示モード”である場合には、ステップＳ２２に進み、バーコードスキャナ６による商品コードの読み取りがあった全商品をレシート名（各商品の名前を表す単品名称）にてレシート用紙に印字した後、これを切断してレシート発行口５よりレシートＲとして発行する。ここに、商品情報報知手段の機能が実行される。ここで、図１１は“詳細表示モード”である場合に発行されたレシートＲを例示的に示す平面図である。図１１に示すように、“詳細表示モード”の場合のレシートＲには、商品がレシート名（各商品の名前を表す単品名称）で表示されることになる。このように売上処理された商品の商品情報をサーマルプリンタ３によりレシート用紙に印字してレシートＲとして発行することで、売上処理された商品の商品情報が報知されることになる。
【００４４】
レシートＲの発行が終了すると、ステップＳ２３に進み、表示設定ステータスを初期化した後（本実施の形態においては、初期状態では“簡略表示モード”に設定される。）、次の客の売上処理に備える。
【００４５】
このように本実施の形態によれば、商品の売上処理の際には、売上処理された商品の商品情報が商品情報の種別に従って生成されて報知されることにより、商品の売上処理の際に報知される商品情報を客が望む種別にすることができる。例えば、買上げ商品の名前を表す単品名称（商品情報の種別）が商品情報として報知されるのを希望しない客は、各商品を分類するために上位概念化されたグループ名称（商品情報の種別）を客が望む商品情報の種別として指定することで、売上処理に係る商品に関する商品情報を、客の希望に沿った種別で報知することができる。
【００４６】
また、本実施の形態によれば、客側に設けられたボタン（報知内容設定ボタン）Ｂを客に操作させることにより客が望む商品情報の種別を指定させるようにしたので、客が自らの意思で商品情報の種別を容易に指定することができる。
【００４７】
なお、本実施の形態においては、初期状態では“簡略表示モード”に設定されるようにしたが、これに限るものではなく、初期状態では“詳細表示モード”に設定されるようにしても良い。この場合、ボタン（報知内容設定ボタン）Ｂが客により押下されると、“簡略表示モード”に設定されることになる。
【００４８】
また、本実施の形態においては、客側に設けられた操作部を客側ディスプレイ１４と客側タッチパネル１５との組み合わせによるボタン（報知内容設定ボタン）Ｂで構成したが、これに限るものではなく、客側ディスプレイ１４とは別に設けられるキーやボタン等であっても良い。
【００４９】
次に、本発明の第二の実施の形態を図１２に基づいて説明する。なお、本発明の第一の実施の形態において説明した部分と同一部分については同一符号を用い、説明も省略する。
【００５０】
本実施の形態は、前述した第一の実施の形態とは、報知内容設定処理の流れが異なるものである。より詳細には、第一の実施の形態においては、客側ディスプレイ１４に表示されているボタン（報知内容設定ボタン）Ｂを客に押下させることにより報知内容設定処理を行うようにしたが、本実施の形態においては、“簡略表示モード”または“詳細表示モード”の何れかの表示設定ステータスを客が所有する会員カード（磁気カード）に記憶させておき、この会員カード（磁気カード）に記憶されている表示設定ステータスをカードリーダ１０で読み取ることにより、報知内容設定処理を行うようにしたものである。
【００５１】
ここで、図１２は本実施の形態の報知内容設定処理の流れを概略的に示すフローチャートである。報知内容設定処理は、モードキー１２の切り換え操作によって登録モードに設定されていることを条件として実行される。図１２に示すように、本実施の形態の報知内容設定処理は、客により提示された会員カード（磁気カード）に記憶されている表示設定ステータスがカードリーダ１０で読み取られて取得されたと判断すると（ステップＳ３１のＹ）、取得した表示設定ステータスに現在の表示設定ステータスを更新し（ステップＳ３２：情報種別指定手段）、ステップＳ３２で更新された表示設定ステータスに従って客側ディスプレイ１４の画面を再描画する（ステップＳ３３）。
【００５２】
このように本実施の形態によれば、客が所有する会員カード（磁気カード）に記憶された客が望む商品情報の種別を読み取るようにしたことにより、客が自らの意思で商品情報の種別を容易に指定することができる。
【００５３】
なお、本実施の形態においては、“簡略表示モード”または“詳細表示モード”の何れかの表示設定ステータスを客が所有する会員カード（磁気カード）に記憶させるようにしたが、これに限るものではない。例えば、会員カード（磁気カード）を所有する客の会員番号と客が望む表示設定ステータスとを対応付けたテーブルをＰＯＳ端末１のＨＤＤ２１に用意しておき、会員カード（磁気カード）に記憶されている会員番号をカードリーダ１０で読み取り、読み取った会員番号に基づいてテーブルを検索して表示設定ステータスを取得し、報知内容設定処理を行うようにしても良い。
【００５４】
すなわち、客が所有する会員カード（磁気カード）に記憶された会員番号を読み取り、客が望む商品情報の種別を会員番号に対応付けて記憶したテーブルを検索するようにしたことにより、客が自らの意思で商品情報の種別を容易に指定することができる。
【００５５】
なお、各実施の形態においては、会員カードを磁気ストライプを有する磁気カードで構成したが、これに限るものではなく、ＩＣメモリを有するＩＣカードで構成するようにしても良い。ただし、その場合には、カードリーダもＩＣカードに対応させる必要があるのは言うまでもない。
【００５６】
【発明の効果】
本発明によれば、売上処理された商品の商品情報を、客の希望に沿った種別で報知することができる。
【図面の簡単な説明】
【図１】本発明の第一の実施の形態のＰＯＳ端末を概略的に示す外観斜視図である。
【図２】ＰＯＳ端末に内蔵される各部の電気的接続を示すブロック図である。
【図３】商品マスタファイルのファイル構造を模式的に示す説明図である。
【図４】簡略表示指定商品ファイルのファイル構造を模式的に示す説明図である。
【図５】登録モードに設定されている場合の客側ディスプレイの表示内容を示す正面図である。
【図６】報知内容設定処理の流れを概略的に示すフローチャートである。
【図７】売上処理の流れを概略的に示すフローチャートである。
【図８】“簡略表示モード”である場合の売上処理表示領域の表示を例示的に示す正面図である。
【図９】“詳細表示モード”である場合の売上処理表示領域の表示を例示的に示す正面図である。
【図１０】“簡略表示モード”である場合に発行されたレシートを例示的に示す平面図である。
【図１１】“詳細表示モード”である場合に発行されたレシートを例示的に示す平面図である。
【図１２】本発明の第二の実施の形態の報知内容設定処理の流れを概略的に示すフローチャートである。
【符号の説明】
１…商品販売データ処理装置、３…印字装置、１４…客側に設けられた表示装置、Ｂ…客側に設けられた操作部、Ｒ…レシート
【図１】
2004362504.tif 000003
【図２】
2004362504.tif 000004
【図３】
2004362504.tif 000005
【図４】
2004362504.tif 000006
【図５】
2004362504.tif 000007
【図６】
2004362504.tif 000008
【図７】
2004362504.tif 000009
【図８】
2004362504.tif 000010
【図９】
2004362504.tif 000011
【図１０】
2004362504.tif 000012
【図１１】
2004362504.tif 000013
【図１２】
2004362504.tif 000014